【手続補正書】
【提出日】平成30年5月28日(2018.5.28)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
ビデオデータのブロックに関する第1のシンタックス要素を受信するステップであって、前記第1のシンタックス要素の値は、成分間予測に関するスケーリングパラメータの値をマッピングされた値から決定するために複数のマッピング関数のうちのどれを使用すべきかを示し、各マッピング関数は、前記マッピングされた値をスケーリングパラメータ値にマッピングし、各マッピング関数内において、各マッピングされた値は異なるスケーリングパラメータ値に関連付けられ、前記複数のマッピング関数の第1のマッピング関数は、YCbCrシーケンスのために使用され、前記複数のマッピング関数の第2のマッピング関数は、RGBシーケンスために使用される、ステップと、
ビデオデータの前記ブロックに関する第2のシンタックス要素を受信するステップであって、前記第2のシンタックス要素は、前記スケーリングパラメータの前記値の前記マッピングされた値に関連するバイナリストリングを含み、前記第2のシンタックス要素を受信するステップは、前記バイナリストリングから前記マッピングされた値を復号するステップを含む、ステップと、
ビデオデータの前記ブロックに関する第3のシンタックス要素を受信するステップであって、前記スケーリングパラメータは符号を有し、前記第3のシンタックス要素の値は、前記スケーリングパラメータの前記符号を示す、ステップと、
前記第2のシンタックス要素から復号された前記マッピングされた値および前記第1のシンタックス要素によって示される前記マッピング関数から前記スケーリングパラメータの前記値を決定するステップと、
前記スケーリングパラメータの前記符号および前記決定された値を使用してビデオデータの前記ブロックの少なくとも1つのクロマ成分に対する成分間予測を実行するステップとを含む方法。
【請求項２】
前記第1のマッピング関数は、(α?(1<<(α-1)):0)として定義され、αは、前記第2のシンタックス要素の前記マッピングされた値であり、
前記第2のマッピング関数は、(α?(1<<(4-α)):0)として定義される、請求項1に記載の方法。
【請求項３】
前記第1のマッピング関数は、(α?(1<<(α-1)):0)として定義され、αは、前記第2のシンタックス要素の前記マッピングされた値であり、
前記第2のマッピング関数は、(α?(1<<(5-α)):0)として定義される、請求項1に記載の方法。
【請求項４】
前記第1のシンタックス要素によって示される前記マッピング関数に基づいて前記第3のシンタックス要素をエントロピー復号するのに使用されるコンテキストモデルを決定するステップと、
前記決定されたコンテキストモデルを使用して前記第3のシンタックス要素をエントロピー復号するステップとをさらに含む、請求項1に記載の方法。
【請求項５】
ビデオデータの前記ブロックに関する前記第1のシンタックス要素を受信するステップは、シーケンスパラメータセット、ピクチャパラメータセット、またはスライスヘッダの少なくとも1つにおけるビデオデータの前記ブロックに関する前記第1のシンタックス要素を受信するステップを含む、請求項1に記載の方法。
【請求項６】
ビデオデータの前記ブロックに関する前記第1のシンタックス要素を受信するステップであって、前記第1のシンタックス要素は前記第2のマッピング関数を示す、ステップと、
シーケンスパラメータセット、ピクチャパラメータセット、またはスライスヘッダのうちの少なくとも1つにおけるビデオデータの前記ブロックに関する前記第2のマッピング関数を受信するステップとをさらに含む、請求項1に記載の方法。
【請求項７】
シーケンスパラメータセット、ピクチャパラメータセット、またはスライスヘッダのうちの少なくとも1つにおけるスケーリングパラメータのセットに関する新しいスケーリングパラメータを受信するステップと、
スケーリングパラメータの前記セットのうちの1つのスケーリングパラメータを前記新しいスケーリングパラメータに置き換えるステップとをさらに含む、請求項6に記載の方法。
【請求項８】
ビデオデータの前記ブロックに関する前記第1のシンタックス要素を受信するステップであって、前記第1のシンタックス要素は前記第2のマッピング関数を示す、ステップと、
以前にコーディングされたビデオフレームの残差情報の特性から前記第2のマッピング関数を決定するステップであって、前記特性は、前記残差情報の1つまたは複数のエネルギー、前記残差情報の分散、または前記情報のコーディングモードを含む、ステップとをさらに含む、請求項1に記載の方法。
【請求項９】
前記第2のマッピング関数を決定するステップは、ビデオデータの前記ブロックのフレームと同じピクチャタイプを有する以前にコーディングされたビデオフレームの残差情報の特性に基づいて前記第2のマッピング関数を決定するステップを含む、請求項8に記載の方法。
【請求項１０】
ビデオデータのブロックに関する第1のシンタックス要素を受信するための手段であって、前記第1のシンタックス要素の値は、成分間予測に関するスケーリングパラメータの値をマッピングされた値から決定するために複数のマッピング関数のうちのどれを使用すべきかを示し、各マッピング関数は、前記マッピングされた値をスケーリングパラメータ値にマッピングし、各マッピング関数内において、各マッピングされた値は異なるスケーリングパラメータ値に関連付けられる、手段と、
ビデオデータの前記ブロックに関する第2のシンタックス要素を受信するための手段であって、前記第2のシンタックス要素は、前記スケーリングパラメータの前記値の前記マッピングされた値に関連するバイナリストリングを含み、前記第2のシンタックス要素を受信することは、前記バイナリストリングから前記マッピングされた値を復号することを含む、手段と、
ビデオデータの前記ブロックに関する第3のシンタックス要素を受信するための手段であって、前記スケーリングパラメータは符号を有し、前記第3のシンタックス要素の値は、前記スケーリングパラメータの前記符号を示す、手段と、
前記第2のシンタックス要素から復号された前記マッピングされた値および前記第1のシンタックス要素によって示される前記マッピング関数から前記スケーリングパラメータの前記値を決定するための手段と、
前記スケーリングパラメータの前記符号および前記決定された値を使用してビデオデータの前記ブロックの少なくとも1つのクロマ成分に対する成分間予測を実行するための手段とを備えるビデオデコーダ。
【請求項１１】
ビデオデータのブロックを符号化する方法であって、
ビデオデータのブロックの成分間予測に関するスケーリングパラメータを決定するステップであって、前記スケーリングパラメータは符号と値とを有する、ステップと、
複数のマッピング関数からあるマッピング関数を選択するステップであって、各マッピング関数は、前記スケーリングパラメータの前記値をマッピングされた値にマッピングし、各マッピング関数内において、各マッピングされた値は前記スケーリングパラメータの異なる値に関連付けられ、前記複数のマッピング関数の第1のマッピング関数は、YCbCrシーケンスのために使用され、前記複数のマッピング関数の第2のマッピング関数は、RGBシーケンスために使用される、ステップと、
ビデオビットストリームにおいて、第1のシンタックス要素をシグナリングするステップであって、前記第1のシンタックス要素の値は前記複数のマッピング関数から選択された前記マッピング関数を示す、ステップと、
前記ビデオビットストリームにおいて、第2のシンタックス要素をシグナリングするステップであって、前記第2のシンタックス要素は、前記選択されたマッピング関数に関する前記スケーリングパラメータの前記マッピングされた値を含み、各マッピングされた値は異なるバイナリストリングに関連付けられ、第2のシンタックス要素をシグナリングするステップは、前記マッピングされた値に関連付けられた前記バイナリストリングによって前記マッピングされた値を符号化するステップを含む、ステップと、
前記ビデオビットストリームにおいて、第3のシンタックス要素をシグナリングするステップであって、前記第3のシンタックス要素の値は前記スケーリングパラメータの前記符号を表す、ステップとを含む方法。
【請求項１２】
前記第1のマッピング関数は、(α?(1<<(α-1)):0)として定義され、αは、前記第2のシンタックス要素の前記値であり、
前記第2のマッピング関数は、(α?(1<<(4-α)):0)として定義される、請求項11に記載の方法。
【請求項１３】
前記第3のシンタックス要素をシグナリングするステップは、
前記第1のシンタックス要素によって示される前記複数のマッピング関数のうちの1つに基づいて前記第3のシンタックス要素をエントロピー符号化するのに使用されるコンテキストモデルを決定するステップと、
前記決定されたコンテキストモデルを使用して前記第3のシンタックス要素をエントロピー符号化するステップとを含む、請求項11に記載の方法。
【請求項１４】
ビデオデータの前記ブロックに関する前記第1のシンタックス要素を介して、前記第2のマッピング関数がビデオデータの前記ブロックに関する成分間予測に関する前記スケーリングパラメータの前記値を決定するのに使用されるべきであることの表示をシグナリングするステップと、
シーケンスパラメータセット、ピクチャパラメータセット、またはスライスヘッダのうちの少なくとも1つにおける前記第2のマッピング関数をシグナリングするステップと、
シーケンスパラメータセット、ピクチャパラメータセット、またはスライスヘッダのうちの少なくとも1つにおいて、スケーリングパラメータのセットに関する新しいスケーリングパラメータをシグナリングするステップであって、前記新しいスケーリングパラメータは、スケーリングパラメータの前記セットにおける前記スケーリングパラメータのうちの1つのスケーリングパラメータを置き換える、ステップとをさらに含む、請求項11に記載の方法。
【請求項１５】
以前にコーディングされたビデオフレームの残差情報の特性から前記第2のマッピング関数を決定するステップであって、前記特性は、前記残差情報のエネルギー、前記残差情報の分散、前記情報のコーディングモード、またはビデオデータの前記ブロックのフレームと同じピクチャタイプを有する以前にコーディングされたビデオフレームの残差情報のうちの1つまたは複数を含む、ステップをさらに含む、請求項11に記載の方法。